(57)【要約】【課題】      ほぼ確実にエアパージできるリモートコンデンサを提供することを目的とする。【解決手段】  コンデンサ冷却用送風機と、枠体上に基台を介して固定されたコンデンサとを備えると共に、制御用コントローラにより前記送風機等を制御するようにしたリモートコンデンサにおいて、  前記コンデンサのガス入口配管接続部と液出口配管接続部とを、コンデンサの同じ側に設けると共に、高さを異ならせ、更に略同一方向に開口することを特徴とするリモートコンデンサ。【選択図】  図１
2005195324.tif 000002
【特許請求の範囲】
【請求項１】
コンデンサ冷却用送風機と、枠体上に基台を介して固定されたコンデンサとを備えると共に、制御用コントローラにより前記送風機等を制御するようにしたリモートコンデンサにおいて、
前記コンデンサのガス入口配管接続部と液出口配管接続部とを、コンデンサの同じ側に設けると共に、高さを異ならせ、更に略同一方向に開口することを特徴とするリモートコンデンサ。
【発明の詳細な説明】
【技術分野】
【０００１】
本発明は、特に空冷リモート式のコンデンサに関するものである。
【背景技術】
【０００２】
斯かるリモートコンデンサは、特許文献１に開示されているように、基台を介して固定された熱交換器を送風機により冷却するようにしたユニットを複数並設すると共に、ユニット毎に設けられるコントローラにより各ユニットの適正な凝縮圧力を維持すべく前記送風機を制御するようにしている。
【０００３】
また、一般的に、この種リモートコンデンサを備えた冷凍装置では、このリモートコンデンサの他、圧縮機、エバポレータ、レシーバタンクなどを備えており、前記エバポレータでの蒸発温度は、冷凍では−２０〜−４０℃になるものである。更に、２段スクリュー圧縮機を使用した超低温用冷凍装置の場合、エバポレータでの蒸発温度が-５０℃〜-６０℃にもなる。
【０００４】
このため、蒸発圧力が負圧となり、配管接続口から冷媒回路内にエアが進入し、このエアが回路内を循環する。このエアを逃がすため、従来、冷凍装置のコンデンサの冷媒配管にエアパージ弁を設けるのが一般的であった。更に、コンデンサのガス入口と液出口には、下方に延在する冷媒配管が接続され、特に液出口側は複雑に入り組んだ配管構成となっている。
【特許文献１】特開平９−２２９４２３号公報
【発明の開示】
【発明が解決しようとする課題】
【０００５】
しかし、従来、コンデンサを複数台併設する場合、コンデンサのガス入口は比較的容易に接続できるが、液出口側は複雑に入り組んだ配管構成となっている関係上、併設時の接続が難しいという問題がある。
【０００６】
本発明は上述した従来技術の問題点に鑑みてなされたもので、併設した際に配管接続を容易とするリモートコンデンサを提供することを目的とする。
【課題を解決するための手段】
【０００７】
本発明の請求項１は、コンデンサ冷却用送風機と、枠体上に基台を介して固定されたコンデンサとを備えると共に、制御用コントローラにより前記送風機等を制御するようにしたリモートコンデンサにおいて、前記コンデンサのガス入口配管接続部と液出口配管接続部とを、コンデンサの同じ側に設けると共に、高さを異ならせ、更に略同一方向に開口するものである。
【発明の効果】
【０００８】
以上説明したように本発明は、リモートコンデンサが複数台のユニットで構成する場合、コンデンサのガス入口配管接続部と液出口配管接続部とを、コンデンサの同じ側に設けると共に、高さを異ならせ、更に略同一方向に開口しているため、専用の接続ヘッダを用意する事で複数台のユニットの接続を容易に行う事ができる。
【発明を実施するための最良の形態】
【０００９】
本発明の実施の形態を図面に基づき、以下説明する。図１のリモートコンデンサ１は、熱交換器３、４（以下、コンデンサと称する）をＶ字状に配置したものを２個収納したユニット２よりなるものである。尚、このコンデンサ３、４は、プレートフィン型でコルゲート加工を施した構造やスリットフィン型の構造を用いている。
【００１０】
ここで、この種のリモートコンデンサ１をセントラルユニットに用いる場合、ユニット２を３〜４台集中設置するものである。但し、この台数は、所望の能力に対応して決定するため、適宜変更可能なものである。図１は、特にユニット２を３台並設した例を示し、ユニット２を併設した後、後述する入口側ヘッダ４６側に夫々設けられたガス入口配管接続部４３と液出口配管接続部４４とを、専用の入口、出口接続ヘッダー４５Ａ、４５Ｂで接続するものである。尚、このガス入口配管接続部４３と液出口配管接続部４４とは、コンデンサ３、４の両側面のうちどちら側に設けても良い。
【００１１】
また、このリモートコンデンサ１は、ベース体５の四隅に支柱６を取付け、ベース体５と天枠７との間に中間枠８を取付け、支柱６と中間枠８と天枠７とで熱交換室９を形成する。そして、左側面部、右側面部の中間枠８上に基台１２を取付け固定し、一対のコンデンサ３、４が該基台１２の傾斜面上にＶ字状に垂直に立つように固定し、一対のコンデンサ３、４の間の上方に夫々コンデンサ冷却用送風機を取付けている。このコンデンサ冷却用送風機は、送風機のファン１４と、このファン１４を覆うガード１５で天枠７に固定されている。
【００１２】
そして、基台１２上にＶ字状に固定されたコンデンサ３、４の両側部は側板１３をボルトにて取付けられる。従って、送風機が前記中間枠８とベース体５との間、即ち正面側や側面側の開口部から空気を吸込み或いは吹出し、コンデンサ３、４と熱交換した空気をガード１５から上方に吹出し或いは吸込む。
【００１３】
図３において、２０はコントローラで、各ユニット２の適正な凝縮圧力を維持すべくコンデンサパイプに取付けた温度センサ(図示せず)により凝縮温度を感知し、前記送風機のファンモータ(図示せず)の回転数を制御するものである。該コントローラ２０は、外観形状が概ね直方体を呈しているが、その後部周囲には取付部２１が突設され、四隅には取付穴２２が開設されている。２３は凝縮圧力設定用の切換ピン、２４は電源周波数切換スイッチ、２５は温度センサとの接続ピン、２６は端子台で、２７は「強制運転」か「自動運転」の運転モード切換スイッチである。端子台２６のＧはアース接続用、Ｒ、Ｓ、Ｔは電源電線接続用、Ｕ、Ｖ、Ｗは送風機のファンモータのリード線接続用である。
【００１４】
尚、図２において、１８は建物の壁面、１９はユニット２の上方に所定間隔を存して設けられた建物のひさしである。図２は、説明の便宜上、ユニット２を１台建物の壁面１８にぴったり付けて設置したリモートコンデンサ１の例を示す。
【００１５】
図４、５において、３０、３１は取付部材で、左右一対で使用し、夫々前記コントローラ２０の取付部２１がビス止め固定される第１の面３２、３３と、該第１の面３２、３３とは直角をなすように折り曲げられ前記ユニット２にビス止め固定される第２の面３、４、３５とから成る。従って、夫々第１の面３２、３３には上下２ケ所に取付穴３６が、第２の面３、４、３５には１ケ所に取付穴４１が開設されている。尚、両面３２、３３、３、４、３５には夫々折返しフランジ部３７、３８、３９、４０が夫々の面と直角に形成されている。そして、このフランジ部３７、３８、３９、４０は振動防止用の補強となっている。
【００１６】
従って、前記コントローラ２０のユニット２への取付は、図１に示す如く、ユニット２のコンデンサ３、４の吸い込み面に取りつけられるようになっている。即ち、コンデンサ３、４の吸い込み面側の中間枠８の右寄りの下側に取付けるようになっている。
【００１７】
そして、中間部８と支柱６とコンデンサ３、４とで形成される吸い込みスペースに前記コントローラ２０を配置すると共に、このコントローラ２０に電源を供給するためのトランス４２が、このコントローラ２０の横に設置されている。尚、このトランス４２の取りつけ構造も前述したコントローラ２０と同様であるため説明を省略する。
【００１８】
次に、これらコントローラ２０及びトランス４２の取付け方について図４、５、６に基づき説明する。図７に示すように、ユニット２のコンデンサ３、４吸い込み面側の中間枠８に取付ける場合について説明すると、コンデンサ３、４吸い込み面側の中間枠８の右隅部に間隔を置いて２ケ所開設された取付穴（図示せず）に取付部材３０、３１をその第２の面３、４、３５を下にしてその第１の面３２、３３を垂直に立てた状態にして第１の面３２、３３がユニット２の正面に向くように、かつフランジ部３７、３８が向かい合うようにして各取付穴４１を合わせるようにして、取付部材３０、３１を中間枠８の上面に取付ける。
【００１９】
そして、前述したように、前記コントローラ２０の取付部２１の各取付穴２２と第１の面３２、３３の各取付穴３６を合わせた状態にしてビス止めして、取付部材３０、３１にコントローラ２０を固定することにより、ユニット２にコントローラ２０をその正面が外方を向くように取付ける（図７参照）。また、これと同様にトランス４２もコントローラ２０の横に併設する。
【００２０】
尚、これらコントローラ２０及びトランス４２は、図６、図７に示す如く、コンデンサ３、４に対して反対側にも取り付ける事が可能である。即ちコンデンサ３、４のどちらの吸込面側に取りつけても良いし、付け替えも可能なものである。これにより、設置レイアウトの都合に合わせて適宜選択可能となり、製品設置レイアウトの自由度が増す事となる。更に、設置場所を変更する際にも、容易にコントローラ２０及びトランス４２を付け替える事ができる。
【００２１】
また、上述したリモートコンデンサ１を備えた冷媒回路で、例えば通常の冷凍用である場合、冷媒回路でのエバポレータの蒸発温度は、冷凍では−２０〜−４０℃になるものである。更に、２段スクリュー圧縮機を使用した超低温用冷凍装置の場合、エバポレータでの蒸発温度が-５０℃〜-６０℃にもなる。従って、蒸発圧力が負圧となるので、配管接続口等から冷媒回路内にエアが進入し、このエアが冷媒回路内を循環するおそれが発生する。
【００２２】
この冷媒回路内のエアをパージするために、本実施形態では、各ガス入口側ヘッダー４６の最上部にエアパージ弁４７、４８が設けられている。このエアパージ弁４７、４８は、所謂チェッキ弁（ムシ付弁とも称する）で構成され、エアの開放スイッチ（図示せず）を押す事で、エアパージ弁４７、４８は適宜に開放され、これによってエアが大気開放される。この実施形態では、エアパージ弁４７、４８が各ガス入口側ヘッダー４６の最上部に位置するので、エアがほぼ完全にパージされる。また、エアパージ弁４７、４８が各ガス入口側ヘッダー４６の夫々に設けられているので、各ガス入口側ヘッダー４６毎に個別にエアパージが可能になる。
【図面の簡単な説明】
【００２３】
【図１】図１は本発明のリモートコンデンサの斜視図で、ユニットを前後に３ユニット並設した例を示す。
【図２】図２は本発明のリモートコンデンサの右側面図で、ユニット２を１ユニット設置した例を示す。
【図３】図３はカバーを外したコントローラの正面図である。
【図４】図４はコントローラと取付部材の正面図である。
【図５】図５はコントローラと一方の取付部材の左側面図である。
【図６】図６はユニットの中間部材上面に取付けられた状態のコントローラと取付部材の正面図である。
【図７】図７はユニットの右側面図で、コントローラが２ケ所に取付けられた状態を示す。
【符号の説明】
【００２４】
１            リモートコンデンサ
２            ユニット
３、４        熱交換器
５            ベース体
８            中間枠
１２          基台
２０          コントローラ
【図１】
2005195324.tif 000003
【図２】
2005195324.tif 000004
【図３】
2005195324.tif 000005
【図４】
2005195324.tif 000006
【図５】
2005195324.tif 000007
【図６】
2005195324.tif 000008
【図７】
2005195324.tif 000009